(57)【要約】【課題】保管庫において、ハウジング内への二輪車等の搬入・搬出を容易としつつ、ハウジングの開口部に設けられた扉に対する他人の容易なアクセスを防止する。【解決手段】保管物の搬入および搬出に用いられる開口部３が形成された箱形のハウジング２と、前記開口部を開閉するシャッタ４と、ハウジングに軸支され、シャッタの前面４ａに対峙する起立位置と、開口部の下縁から保管庫設置面４３に向けて延在する傾倒位置との間を回動するスロープ板２１とを備えた構成とする。【選択図】図１
2011231501.tif 000002
【特許請求の範囲】
【請求項１】
保管物の搬入および搬出に用いられる開口部が形成された箱形のハウジングと、
前記ハウジングに設けられ、前記開口部を開閉する扉と、
前記ハウジングに軸支され、前記扉の外面に対峙する起立位置と、前記開口部の下縁から保管庫設置面に向けて延在する傾倒位置との間を回動するスロープ板と
を備えたことを特徴とする保管庫。
【請求項２】
前記扉には、その開閉を規制する錠前が設けられ、
前記スロープ板は、前記起立位置において前記錠前の鍵穴の前面側を遮蔽することを特徴とする請求項１に記載の保管庫。
【請求項３】
前記ハウジングに移動可能に取り付けられ、前記扉の外面と前記起立位置にある前記スロープ板との間隙を覆う遮蔽位置と、当該遮蔽を解除する待機位置との間を移動する遮蔽部材を更に備えたことを特徴とする請求項２に記載の保管庫。
【請求項４】
前記遮蔽部材は、前記遮蔽位置において前記起立位置にある前記スロープ板と係合することにより、当該スロープ板の前記傾倒位置側への回動を規制することを特徴とする請求項３に記載の保管庫。
【発明の詳細な説明】
【技術分野】
【０００１】
本発明は、二輪車等を保管するための保管庫に関し、特に、保管物の盗難を防止するための技術に関する。
【背景技術】
【０００２】
従来、二輪車の盗難を防止するための保管庫として、例えば、ハウジングの開口部に開閉自在に設けられた施錠可能なシャッタと、このシャッタの後側（ハウジング内側）に回動自在に設けられた遮断板とを備え、当該遮断板が、二輪車の搬入時には傾倒してスロープ板として機能すると共に、二輪車の保管時には起立して二輪車の自由な搬出を阻止（盗難を防止）するものが知られている（特許文献１参照）。
【０００３】
また、この種の保管庫におけるハウジングの開口部に設けられる扉としては、上記シャッタに限らず、例えば、中央から略左右対称に開くように設けられたもの（特許文献２参照）や、中央から略上下対称に開くように設けられたもの（特許文献３参照）が知られている。
【先行技術文献】
【特許文献】
【０００４】
【特許文献１】特開２００３−１８４３３９号公報
【特許文献２】特開２００３−８１１４８号公報
【特許文献３】特開２００５−９０１６６号公報
【発明の概要】
【発明が解決しようとする課題】
【０００５】
ところで、上記特許文献１に記載の保管庫では、ハウジングの開口部の扉が一旦開放されてしまうと、遮断板をハウジング内に設けた場合であっても、手で持ち運べるような保管物は容易に外部に持ち出し可能となる。したがって、ハウジングの開口部の扉を他人（所有者以外の不審者等）が容易に開放できないようにする（或いは、扉の開放するのに時間をかけさせる）ことが、保管庫の防犯性能を高めるうえで特に重要である。
【０００６】
しかしながら、上記特許文献１〜３に記載の従来技術では、他人でもハウジングの扉に容易にアクセスすることが可能であるという問題があった。また、ハウジングの扉に設けられた錠前の鍵穴は無防備に露出されているため、他人が鍵穴の位置を容易に把握して操作（破壊や抉じ開け等を含む）することが可能であるという問題もあった。
【０００７】
本発明は、このような従来技術の課題を鑑みて案出されたものであり、スロープ板を設けることにより、ハウジング内への二輪車等の搬入・搬出を容易としつつ、ハウジングの開口部に設けられた扉に対する容易なアクセスを防止することを可能とした保管庫を提供することを目的とする。
【課題を解決するための手段】
【０００８】
上記課題を解決するためになされた本発明の第１の側面によれば、保管庫（１）は、保管物の搬入および搬出に用いられる開口部（３）が形成された箱形のハウジング（２）と、前記ハウジングに設けられ、前記開口部を開閉する扉（４）と、前記ハウジングに軸支され、前記扉の外面（４ａ）に対峙する起立位置と、前記開口部の下縁から保管庫設置面（４３）に向けて延在する傾倒位置との間を回動するスロープ板（２１）とを備えたことを特徴とする。
【０００９】
また、本発明の第２の側面によれば、上記第１の側面に係る保管庫に関し、前記扉には、その開閉を規制する錠前（１１）が設けられ、前記スロープ板は、前記起立位置において前記錠前の鍵穴（１２）の前面側を遮蔽することを特徴とする。
【００１０】
また、本発明の第３の側面によれば、上記第２の側面に係る保管庫に関し、前記ハウジングに移動可能に取り付けられ、前記扉の外面と前記起立位置にある前記スロープ板との間隙を覆う遮蔽位置と、当該遮蔽を解除する待機位置との間を移動する遮蔽部材（２２）を更に備えたことを特徴とする。
【００１１】
また、本発明の第４の側面によれば、上記第３の側面に係る保管庫に関し、前記遮蔽部材は、前記遮蔽位置において前記起立位置にある前記スロープ板と係合することにより、当該スロープ板の前記傾倒位置側への回動を規制することを特徴とする。
【発明の効果】
【００１２】
上記本発明の第１の側面によれば、ハウジングの扉の外側に回動自在のスロープ板を設けたため、ハウジング内への二輪車等の搬入・搬出を容易としつつ、起立位置のスロープ板によってハウジングの扉（少なくとも一部）を遮蔽することにより、扉に対する他人の容易なアクセスを防止して保管庫の防犯性能を高めることができる。
また、上記第２の側面によれば、未使用時（保管物を搬入・搬出しない時）に起立位置にあるスロープ板によって鍵穴が遮蔽されるため、他人によって鍵穴の位置が容易に把握されることを防ぐと共に、他人による錠前の操作（破壊や抉じ開け等を含む）をスロープ板によって阻害することができる。この場合、スロープ板を起立位置に保持するロック機構（錠前等）を更に設けることにより、保管庫の防犯性能をより高めることができる。
また、上記第３の側面によれば、扉とスロープ板との間隙から鍵穴が他人によって視認されることが防止されるため、他人によって鍵穴の位置が容易に把握されることをより確実に防ぐことができる。
また、上記第４の側面によれば、簡易な構成により、未使用時のスロープ板を起立位置に安定的に保持して、保管庫の防犯性能を高めることができる。
【図面の簡単な説明】
【００１３】
【図１】実施形態に係る保管庫（施錠状態）を示す斜視図である。
【図２】図１に示したスロープ装置の使用状態を示す斜視図である。
【図３】図１に示したスロープ装置の軸支部を示す底面図である。
【図４】図１に示したアーム部材の要部断面図（図５中のIV−IV線断面図）である。
【図５】図１に示したアーム部材の要部拡大図である。
【図６】図１に示した保管庫の一動作（搬入・搬出状態）を示す斜視図である。
【図７】図１に示した保管庫の一動作（スロープ板の起立状態）を示す斜視図である。
【発明を実施するための形態】
【００１４】
以下、本発明に係る保管庫について図面を参照しながら説明する。説明にあたり、方向を示す用語については、図１に示した方向に従うものとする。
【００１５】
図１に示すように、保管庫１は、二輪車等の保管物が収容されるハウジング２と、ハウジング２の前側に開口する方形の開口部３を開閉するシャッタ４と、シャッタ４の前方に設置され、保管物の搬入・搬出の際の搬送路を形成するスロープ装置５とを主として備える。この保管庫１は、特に、スロープ装置５を必要とする大型の二輪車の保管に好適である。
【００１６】
ハウジング２は、複数の外壁材（例えば、塗装鋼板）がボルト締結されてなる箱形を呈しており、開口部３から保管物の搬入および搬出が行われる。ハウジング２内の前上部には周知の構成を有するシャッタ巻取機構６が設けられており、このシャッタ巻取機構６により、シャッタ４の上方への巻き取りまたは下方への繰り出しが行われることによって開口部３が開閉される。
【００１７】
また、図２に併せて示すように、シャッタ４は、複数の金属板を簾状に繋いだ構成を有しており、その上下方向の中間部には、シャッタ４の開放を規制するための周知の構成を有するシャッタ錠１１が設けられている。シャッタ錠１１は、シャッタ４の前面４ａから露出する鍵穴１２を有しており、使用者（所有者）が鍵穴１２に鍵を差し込んで回動操作することによって、左右のロッド１３端部のハウジング２に対する係止またはその解除が行われる。また、シャッタ４における鍵穴１２の下方には、左右一対の把手部１４が設けられている。
【００１８】
シャッタ錠１１には、任意の周知のシャッタ錠を用いることが可能である。また、鍵穴１２の位置については、図２に示すようなシャッタ４の中央部に限らず、少なくともシャッタ４（場合によっては、ハウジング２）の前面に露出している限りにおいて、任意の位置を選択可能である。なお、保管庫１の開口部に設けられる扉は、上記シャッタ４に限らず、当業者に周知の任意の扉を用いることができる。
【００１９】
スロープ装置５は、ハウジング２の前下部（開口部３の下縁）に回動可能に支持されたスロープ板２１と、ハウジング２の左右（開口部３の左右）にそれぞれ回動可能に支持された一対の回動アーム２２と、スロープ板２１の左右を挟み込むようにハウジングに取り付けられた一対のスロープガード２３とから主として構成される。
【００２０】
スロープ板２１は、略長方形を呈しており、金属製の枠体によって画成された３つの方形のスペース３１にそれぞれ金属製のメッシュパネル３２が取り付けられている。また、図１に示すように、各メッシュパネル３２の前面側における左右方向の中央には、枠体の各縦枠３３と平行に延在する補強部材３４が設けられている。さらに、図２に示すように、枠体の上部における左右の横枠３５には、使用者がスロープ板２１を回動させる際に利用するハンドル３６が設けられている。
【００２１】
スロープガード２３は、シャッタ４の前面（外面）４ａと、スロープ板２１との間隙Ｇ（図４参照）の左右側部を覆う。スロープガード２３は、その内側の面をスロープ板２１の左右の側縁に摺接させることにより、スロープ板２１の回動をガイドするようにしてもよい。
【００２２】
図３に示すように、スロープ板２１における各縦枠３３の下部には、左右方向に延在する４本のスロープ回動軸４１がそれぞれ取り付けられている。これらスロープ回動軸４１は、同軸に配置されており、ハウジング２の前下部から突設された４つの軸支持部材４２によってそれぞれ回動自在に支持されている。これにより、スロープ板２１は、スロープ回動軸４１を中心として、シャッタ４の前面４ａに対峙する起立位置（図１参照）と、開口部３の下縁から保管庫設置面４３（地面等）に向けて延在する傾倒位置（図２参照）との間を回動可能である。
【００２３】
また、各縦枠３３の上部には、傾倒位置にあるスロープ板２１を保管庫設置面４３上に安定的に保持するためのアジャスタ部材４４が設けられている。アジャスタ部材４４は、図４に示すように、保管庫設置面４３に当接する円形の当接部４５と、当接部４５を各縦枠３３に固定する軸部４６とを有している。軸部４６は、縦枠３３に螺合されており、その突出長さ（当接部４５の位置）を調整することが可能である。
【００２４】
なお、スロープ板２１は、左右幅がハウジング２の幅よりも小さく且つ開口部３の幅よりも大きく設定されており、また、上下幅がその起立位置においてシャッタ４の鍵穴１２を遮蔽可能な大きさに設定されている。
【００２５】
図４に示すように、回動アーム２２は、略方形の断面を有する角筒部５１と、角筒部５１の前壁５１ａから下方に延設された板状のスロープ支持壁５２とを有している。角筒部５１の上壁５１ｂの内面には、対向配置された腕部として一対の軸固定片５３を有する略Ｕ字状の固定部材が支持片５４を介して取り付けられている。これら軸固定片５３には、前後方向に延在するアーム回動軸５５と、このアーム回動軸５５と平行に延在するストッパ軸５６とが固定されている。また、角筒部５１の下壁５１ｃの上面には、側面視においてＬ字状をなすピン取付片５７が取り付けられており、このピン取付片５７には、ガイドピン５８が固定されている。
【００２６】
アーム回動軸５５は、互いに連結されて略Ｕ字状をなす一対の軸支持片６１によって回動自在に支持されている。軸支持片６１は、支持片６２を介してハウジング２に固定されると共に、軸固定片５３の両側（前後面）を挟み込むように配置されている。
【００２７】
図５に示すように、各軸支持片６１には、ストッパ軸５６が挿入される円弧状の長孔６３が形成されている。長孔６３は、小径の中間部６３ａと、その両端に位置する大径の円形部６３ｂ，６３ｃとを有している。図４に示したように、ストッパ軸５６は、一対の軸固定片５３の離間距離に対応して配置されると共に、長孔６３の中間部６３ａに挿入可能な径を有する一対の縮径部５６ａと、縮径部５６ａの後方に隣接配置されると共に、長孔６３の中間部６３ａに挿入不能で且つ円形部６３ｂ，６３ｃに挿入可能な径を有する一対の拡径部５６ｂとを有している。また、ストッパ軸５６は、その中間部５６ｃに介装された圧縮ばね６４によって前方に付勢された状態にある。
【００２８】
また、図５に示すように、回動アーム２２の基端側（ハウジング２の左右側）には、回動アーム２２の回動をガイドする回動ガイド片７１が設けられている。回動ガイド片７１は、平面視において略Ｌ字状を呈しており、ハウジング２に対して固定さている。ガイドピン５８は、回動ガイド片７１に形成された円弧状の長孔７２に挿入可能な縮径部５８ａと、長孔７２の幅よりも大きな径を有する頭部５８ｂ（共に図４参照）とを有している。これにより、回動ガイド片７１の長孔７２によって回動アーム２２の回動がガイドされる。
【００２９】
なお、上記のような回動アーム２２は、必ずしも左右一対として設ける必要はなく、例えば、一方の回動アームの長さを延長することにより、同様の機能を果たすことが可能である。
【００３０】
次に、上記スロープ装置５の動作について説明する。
【００３１】
図６に示すように、保管庫１に保管物を搬入（搬出の場合も同様）する際には、回動アーム２２を垂直状態の待機位置に固定すると共に、スロープ板２１を傾倒位置に移動させ、シャッタ４を開放する。このとき、スロープ板２１は保管物の搬送路として機能する。また、ストッパ軸５６の拡径部５６ｂは、図５に示した軸固定片５３の上側の円形部６３ｂに挿入された状態にある。これにより、回動アーム２２の回動が規制されている。
【００３２】
保管物の搬入が完了すると、使用者は、シャッタ４を閉じて施錠した後、図７に示すように、スロープ板２１を起立位置まで移動させる。このとき、正面視においては、起立したスロープ板２１によってシャッタ４の鍵穴１２が遮蔽される。
【００３３】
次に、使用者は、待機位置にある左右の回動アーム２２を回動させ、図１に示した固定位置（遮蔽位置）まで移動させる。このとき、使用者は、図４中の矢印Ａで示すように、ストッパ軸５６の頭部５６ｄを圧縮ばね６４の付勢力に抗して後方に押し込むことで、前後方向における一対の軸固定片５３の位置と、ストッパ軸５６の縮径部５６ａとの位置を一致させる。これにより、ストッパ軸５６の縮径部５６ａが図５に示した長孔６３の中間部６３ａ内を移動可能となり、回動アーム２２を固定位置の方向に移動させることが可能となる。回動アーム２２の固定位置への移動が完了すると、ストッパ軸５６は圧縮ばね６４の付勢力によって再び前方に移動し、その拡径部５６ｂが軸固定片５３の下側の円形部５３ｃに挿入された状態となる。これにより、回動アーム２２の回動が再び規制される。
【００３４】
また、このとき、回動アーム２２のスロープ支持壁５２は、図４に示したように、スロープ板２１の上部前方に位置し、スロープ板２１の傾倒位置側への回動を規制する。さらに、このとき、回動アーム２２は、シャッタ４の前面４ａと、スロープ板２１との間隙Ｇの上部を覆う。
【００３５】
また、図７に示すように、回動アーム２２の基端側のスロープ支持壁５２には、固定孔対８１が形成され、また、この固定孔対８１にそれぞれ対応するスロープ板２１の左右の縦枠３３には、前面側から内側面へと貫通する固定孔８２が形成されている。スロープ板２１が起立位置にあり且つ回動アーム２２が固定位置にあるとき、固定孔対８１の位置は、固定孔８２の位置に略重なる。これにより、図１に示すように、固定孔対８１および固定孔８２に錠Ｒ（ここでは、南京錠のＵ字形の金具）を共に通して、スロープ板２１と回動アーム２２とを固定することができる。
【００３６】
同様に、回動アーム２２の先端側のスロープ支持壁５２には、それぞれ固定孔８３が形成され、回動アーム２２が固定位置にあるとき、両固定孔８３が隣接した状態となる。これにより、図１に示すように、両固定孔８３に錠Ｒを共に通して、スロープ板２１と回動アーム２２とを固定することができる。
【００３７】
上記保管庫１では、ハウジング２のシャッタ４の外側に回動自在のスロープ板２１を設けたため、ハウジング２のシャッタ４がスロープ板２１によって遮蔽されることにより、当該シャッタ４に対する他人の容易なアクセスを防止して防犯性能を高めることができる。この場合、シャッタ４を開放する場合には、起立位置にあるスロープ板２１を傾倒位置まで回動させる操作が必ず必要となり、不審者等がシャッタ４を開放する場合に時間がかかる。一方、使用者にとっては、スロープ板２１を操作することにより、保管庫設置面４３とハウジング２の開口部３との間に生じる段差に拘わらず、ハウジング２内への保管物（特に、スロープ板２１を搬送路として利用可能な二輪車等）の搬入・搬出が容易となるという利点がある。
【００３８】
また、上記保管庫１では、未使用時（保管物を搬入・搬出しない時）に起立位置にあるスロープ板２１によって鍵穴１２の前面側が遮蔽されるため、他人によって鍵穴１２の位置が容易に把握されることを防ぐと共に、他人によるシャッタ錠１１の操作をスロープ板２１によって阻害することができる。この場合、スロープ板２１を起立位置に保持する錠Ｒを更に設けることにより、防犯性能がより高まる。
【００３９】
また、上記保管庫１では、シャッタ４の前面４ａとスロープ板２１との間隙の上部を覆う回動アーム２２を設けたため、シャッタ４とスロープ板との間隙Ｇから鍵穴１２が他人によって視認されることが防止され、他人によって鍵穴１２の位置が容易に把握されることをより確実に防ぐことができる。さらに、シャッタ４の前面４ａとスロープ板２１との間隙の左右側部を覆うスロープガード（第２の遮蔽部材）２３を設けたため、鍵穴１２が他人によって視認されることをより効果的に防止できる。
【００４０】
また、上記保管庫１では、固定位置にある回動アーム２２は、起立位置にあるスロープ板２１と係合してその傾倒位置側への回動を規制するため、簡易な構成により、未使用時のスロープ板２１を起立位置に安定的に保持して、保管庫１の防犯性能を高めることができる。
【００４１】
本発明を特定の実施形態に基づいて詳細に説明したが、上記実施形態はあくまでも例示であって、本発明はこれらの実施形態によって限定されるものではない。上記実施形態に示した本発明に係る保管庫の各構成要素は、必ずしも全てが必須ではなく、少なくとも本発明の範囲を逸脱しない限りにおいて適宜取捨選択することが可能である。
【符号の説明】
【００４２】
１  保管庫
２  ハウジング
３  開口部
４  シャッタ（扉）
４ａ  前面（外面）
５  スロープ装置
１１  シャッタ錠（錠前）
１２  鍵穴
２１  スロープ板
２２  回動アーム（遮蔽部材）
２３  スロープガード
４１  スロープ回動軸
４３  保管庫設置面
５５  アーム回動軸
５６  ストッパ軸
【図１】
2011231501.tif 000003
【図２】
2011231501.tif 000004
【図３】
2011231501.tif 000005
【図４】
2011231501.tif 000006
【図５】
2011231501.tif 000007
【図６】
2011231501.tif 000008
【図７】
2011231501.tif 000009